(57)【要約】【課題】車両への危険のおそれがある場合に容易且つ確実に警報を発する移動体用バッテリー装置を提供する。【解決手段】本願の移動体用バッテリー装置１は、警報を発する警報手段１１と、バッテリーの端子２に接続されたケーブル５、６を介した電源供給の停止を検知する検知手段１２と、前記停止が検知されたときに前記警報手段１１を動作させる制御手段１５と、を備えたセキュリティユニットを具備し、前記セキュリティユニットは前記バッテリーの筐体１ａに取り付けている。【選択図】図２
2010108333.tif 000002
【特許請求の範囲】
【請求項１】
警報を発する警報手段と、
バッテリーの端子に接続されたケーブルを介した電源供給の停止を検知する検知手段と、
前記停止が検知されたときに前記警報手段を動作させる制御手段と、
を備えたセキュリティユニットを具備し、
前記セキュリティユニットは前記バッテリーの筐体に取り付けられていることを特徴とするバッテリー装置。
【請求項２】
前記検知手段は、
前記端子からの前記ケーブルの抜き取りを検知するものであって、
前記端子の軸線方向に移動可能であって、前記ケーブル側に付勢されるプラグを具備し、
前記プラグの移動によって前記端子に対する前記ケーブルの電気的接続の有無を検出することを特徴とする請求項１に記載のバッテリー装置。
【請求項３】
前記セキュリティユニットは、前記バッテリーの筐体に内蔵されていることを特徴とする請求項１、又は２に記載のバッテリー装置。
【請求項４】
外部の通信端末と通信可能な通信手段を更に備え、
前記制御手段は、
前記停止が検知されたときに前記バッテリー装置が備えられた移動体に危害がおよぶ旨の通知を前記通信端末に送信することを特徴とする請求項１乃至３のいずれか一項に記載のバッテリー装置。
【発明の詳細な説明】
【技術分野】
【０００１】
本願は、例えば移動体に設けられるバッテリー装置に関する。
【背景技術】
【０００２】
車両の盗難やいたずら等の行為を防止するためのセキュリティシステムは種々存在する（例えば、特許文献１）。当該セキュリティシステムは、車両への衝撃等を検出し警報を発する。このようなにセキュリティシステムは、一般的に車両に搭載されているバッテリーを電源の供給源として動作する。
【０００３】
【特許文献１】特開２００７−３０８６２号公報
【発明の開示】
【発明が解決しようとする課題】
【０００４】
したがって、上記セキュリティシステムは、第三者によってバッテリーとセキュリティシステムを電気的に接続している配線が切断されたり、バッテリーの端子に取り付けられるケーブル端子が引き抜かれたりした場合にはセキュリティシステムが動作しないなどの不具合が生じる。
【０００５】
また、上記不具合を解消するために当該バッテリーとは別のサブ電源を搭載する場合も容易に考えられるが、その場合には充電容量や寿命を監視する監視装置が必要な他、当該監視装置を備えていない場合には、いざ必要なときに動作しない場合が有り得るという問題が生じるおそれがある。
【０００６】
本願は、上記の事情を考慮してなされたもので、その課題の一例としては、移動体に危害がおよぶと想定される場合に容易且つ確実に警報を発する移動体用バッテリー装置を提供することにある。
【課題を解決するための手段】
【０００７】
上記課題を解決するために、請求項１に記載の移動用バッテリー装置は、警報を発する警報手段と、バッテリーの端子に接続されたケーブルを介した電源供給の停止を検知する検知手段と、前記停止が検知されたときに前記警報手段を動作させる制御手段と、を備えたセキュリティユニットを具備し、前記セキュリティユニットは前記バッテリーの筐体に取り付けていることを特徴とする。
【発明を実施するための最良の形態】
【０００８】
以下、本願の最良の実施形態を添付図面に基づいて説明する。なお、以下に説明する実施形態は、自動車（以下、「車両」と称する。）に本願のバッテリー装置を適用した場合の実施形態である。
【０００９】
図１は本実施形態のバッテリー装置の外観構成を示す斜視図、図２はバッテリー装置の内部構成図である。
【００１０】
図１に示すように、本願のバッテリー装置１は、一般に車両のエンジンルームに設けられるバッテリー本体にセキュリティ機能を備えている。そして本実施形態のバッテリー装置１は、車両に危害が加えられると想定される場合（具体的には第三者によるケーブル５、６の抜き取りやケーブル５、６の切断が行われたとき）に、警報を発する。
【００１１】
バッテリー装置１は、箱型の筐体１ａを有しており、その筐体１ａの内部は上下に区分けされている。上側の空間部はセキュリティ部１０として機能し、下側の空間部は電源供給部としてのバッテリー本体（以下、「充電部２０」と称する。）として機能する。
【００１２】
充電部２０は、例えば、バッテリー本体が一般的に鉛バッテリーと称されるものであれば、＋極(正極)板と、−極(負極)板と、電解液と、を備えて構成される。当該充電部２０は、化学反応により、直流の電気エネルギーを取り出すことができる一方で、外部から電気エネルギーを与えるとこれを蓄えることができる。
【００１３】
筐体１ａの外側上面には、一対のバッテリー端子２（＋端子２ａ、−端子２ｂ）が上方に突出して設けられている。当該バッテリー端子２には、所定のケーブル５、６が接続端子５ａ、６ａを介して電気的に接続される。当該バッテリー端子２の各端子２ａ、２ｂは、充電部２０の正極板と負極板にそれぞれ電気的に接続されているとともに、セキュリティ部１０と電気的に接続されている。また、筐体１ａの外側上面の一部には、警報音を外部に出力するための複数の孔部が形成されている。
【００１４】
図２に示すように、セキュリティ部１０は、警報を発する警報出力部１１と、第三者による車両に対する危害を検知する危害検知部１２と、外部の通信端末と通信を行う通信部１３と、各部１１〜１３を統括的に制御する制御部１５と、を備えている。
【００１５】
なお、本実施形態の警報出力部１１は本願の警報手段の一例として機能し、本実施形態の危害検知部１２は本願の検知手段の一例として機能する。また、本実施形態の通信部１３は本願の通信手段の一例として機能し、本実施形態の制御部１５は本願の制御手段の一例として機能する。また、本実施形態のセキュリティ部１０は、本願のセキュリティユニットの一例として機能する。
【００１６】
警報出力部１１は、制御部１５の制御の基で警報装置としてのスピーカから所定の警報音を出力する。この警報音は、単一のビープ音や複数のビープ音を組み合わせた音、音声などを含むものである。
【００１７】
危害検知部１２は、バッテリー端子２に接続されたケーブル５、６を介した電源供給の停止を検知するものであって、具体的には、第三者によるバッテリー端子２からのケーブル５、６の抜き取りやケーブル５、６の切断を検知するものである。
【００１８】
ここで、第三者のケーブル５、６の抜き取りを検知するための構成の一例を図３を用いて説明する。図３はケーブルの抜き取りを検知するための一例を示す図であり、図３（ａ）はバッテリー端子に対するケーブルの電気的な接続を検知しない場合の一例であり、図３（ｂ）はバッテリー端子に対するケーブルの電気的な接続を検知する場合の一例である。
【００１９】
図３に示すように、バッテリー端子２の各端子２ａ、２ｂには、当該端子２ａ、２ｂの軸線方向に移動可能であって、前記ケーブル５、６側に付勢される導電性を有するプラグ８が取り付けられる。当該プラグ８は、例えば、弾性体９（バネ部材など）を介して取り付けられる。
【００２０】
一方、筐体１ａの上面には、当該プラグ８が挿入される導電性を有する凹部１ｂが形成され、当該凹部１ｂにプラグ８が挿入されることで、そのプラグ８の外周面と凹部１ｂの内周側面との接触によりバッテリー端子２に対する前記ケーブル５、６の電気的接続を検出する。すなわち、ケーブル５、６がバッテリー端子２に取り付けられる前は、プラグ８は凹部１ｂの上部に設けられるためバッテリー端子２に対するケーブル５、６の電気的な接続が検出されず、ケーブル５、６がバッテリー端子２に取り付けられると、当該プラグ８が当該ケーブル５、６のケーブル端子５ａ、６ａによって下方に押圧され、そのプラグ８が凹部１ｂ内へと収容され、バッテリー端子２に対するケーブル５、６の電気的な接続が検出されるようになっている。
【００２１】
本実施形態では、このような動作を利用して、まず、初めにバッテリー端子２に対するケーブル５、６の電気的な接続を検出したときに制御部１５を動作させる。制御部１５は、第三者によりバッテリー端子２からケーブル５、６が抜き取られると警報を発するための制御を行う。
【００２２】
なお、ケーブル５、６の切断を検知する一例としては、バッテリー端子２間の電流を測定、又はケーブル５、６内の電流値を測定する測定機器を備え、その測定結果に基づいてケーブル５、６の切断の有無を判断するようにすればよい。
【００２３】
通信部１３は、予め定められた、例えば、車両の持ち主の携帯電話機と通信を行う。当該通信とは、例えば、予め定められた文書（車両に危害がおよぶ旨を示す警報情報）をメールなどによって通知する動作である。その他、携帯電話機に対して所定の音声を出力するようにしても構わない。
【００２４】
制御部１５は、図示しないがＣＰＵ（Central Processing Unit）、ＲＡＭ（Random Access Memory）、ＲＯＭ（Read Only Memory）等を備え、当該ＣＰＵが、例えばＲＯＭに記憶された各種プログラムを実行することにより、バッテリー装置１全体を制御し、本願の制御手段の一例として機能する。具体的には、制御部１５は、危害検知部１２による検知結果に基づいて前記警報装置を動作させて所定の警報を発する。更に具体的には、警報音を出力したり、外部の通信端末（例えば、持ち主の携帯電話機）に警報情報を通知したりする。
【００２５】
以下、第三者によるケーブルの抜き取り又は切断行為が発生したときの動作について図４を用いて説明する。図４はバッテリー装置の制御動作の一例を示すフローチャート図である。
【００２６】
まず、制御部１５は、バッテリー端子２にケーブル５、６がそれぞれ取り付けられたか否かを判断し、この判断が肯定されれば、ステップＳ１０２に進み、否定されれば待機する。
【００２７】
次に、ステップＳ１０２では、制御部１５はセキュリティ部１０の機能を動作させる。このように本実施形態ではバッテリー端子２にケーブル５、６が電気的に接続されることにより、セキュリティ機能を働かせるようになっている。実質的には、制御部１５は、危害検知部１２により、第三者によるケーブルの抜き取り動作、又は切断動作の監視を開始させる。
【００２８】
次に、ステップＳ１０３では、制御部１５は、第三者によるケーブル５、６の抜き取り動作、又は切断動作などの車両への危害動作を検知したか否かを判断する。この判断が肯定されればステップＳ１０４に進み、否定されれば、車両への危害動作が検知されるまで待機する。
【００２９】
次に、ステップＳ１０４では、制御部１５は、警報装置に所定の警報音を出力、又は予め定められた外部の通信端末に警報情報を通知（送信）し、処理を終了する。この動作により第三者を威嚇、又は車両の持ち主に車両に危害が発生するおそれがある旨を伝えることができる。
【００３０】
なお、警報音はずっと鳴り続けてもあまり意味がないため、例えば警報音を一定時間出力した後、鳴り止み、セキュリティ機能を停止させることが好ましい。このような場合において、再度、セキュリティ機能を始動させる際には、ステップＳ１０２の行為、すなわちケーブル５、６を新たにバッテリー端子２に挿しなおせば良い。
【００３１】
以上に説明したように、本実施形態のバッテリー装置１によれば、バッテリー本体にセキュリティ機能が搭載されており、第三者によりケーブル５、６がバッテリー端子２から取り外される、もしくはケーブル５、６が切断されたとき、所定の警報音や持ち主への警報情報の通知がバッテリー本体を電源として行われるようになっているので、ケーブル５、６の抜き取りや切断によりセキュリティ機能が解除されることなくセキュリティ部１０が動作する。また、バッテリー装置１の製造過程において、複雑な配線なども必要がない。よって、容易かつコストをかけずにバッテリー装置１を製造することが可能であるとともに車両に危害が加えられた場合に確実に第三者に警報を発することが可能である。
【００３２】
また、セキュリティ部１５がバッテリーの筐体１ａに内蔵されているため、ケーブル５、６が切断されても電源を確実に確保することが可能であり、車両に危害が加えられた場合に確実に警報を発することが可能である。
【００３３】
また、本実施形態のバッテリー装置１は、バッテリーの端子２の軸線方向に移動可能であって、常時ケーブル５、６側に付勢するプラグ８を備えており、当該プラグ８の移動によって前記端子２に対するケーブル５、６の電気的接続の有無を検出することで第三者によるケーブル５、６の抜き取りの有無を検知するようになっている。このようにすれば簡易な構成で、容易且つ確実にケーブル５、６の抜き取りの有無を検知可能である。
【００３４】
なお、本願は、上記実施形態に限定することなく、種々の変更が可能である。例えば上記実施形態では、セキュリティ部１０をバッテリー本体が収容される筐体１ａに内蔵するようにしているが、別体としてセキュリティ部１０を製造し、一般的に用いられているバッテリーの上面に当該セキュリティ部１０を備えた別体を所定の固定手段を介して取り付けるようにしてもかまわない。当該固定手段は一般的に所定の部材同士を固定できるものであればどのようなものでもよく、ねじによる固定や各部材のそれぞれに凸部と凹部を設けて嵌合させて固定するような形態でもかまわない。
【００３５】
また、本実施形態では、便宜上、自動車に用いられるバッテリーに対して適用したが、自動二輪車は勿論、船や飛行機などの移動体に適用可能である。
【００３６】
さらに、危害検知部１２として、プラグ８を用いずに、ケーブル５、６内の電流値のみを検出するように構成しても構わない。ケーブル５、６内の電流値のみを検出することで、ケーブル５、６の切断は勿論、ケーブル５、６の抜き取りも検知可能だからである。このような場合には、セキュリティ部１０に電気が供給されることによって自動的にセキュリティ機能が動作する。
【図面の簡単な説明】
【００３７】
【図１】バッテリー装置の外観構成を示す斜視図である。
【図２】バッテリー装置の内部構成図である。
【図３】ケーブルの抜き取りを検知するための一例を示す図であり、図３（ａ）はバッテリー端子に対するケーブルの電気的な接続を検知しない場合の一例であり、図３（ｂ）はバッテリー端子に対するケーブルの電気的な接続を検知する場合の一例である。
【図４】バッテリー装置の制御動作の一例を示すフローチャート図である。
【符号の説明】
【００３８】
１    バッテリー装置
１ａ  筐体  
２  バッテリーの端子
５、６  ケーブル
１１  警報出力部
１２  危害検知部
１３  通信部
１５  制御部
【図１】
2010108333.tif 000003
【図２】
2010108333.tif 000004
【図３】
2010108333.tif 000005
【図４】
2010108333.tif 000006